(57)【要約】【課題】書込み放電を安定して発生させることができ、さらに隣接する放電セルへのクロストークを改善して誤放電を低減することができるプラズマディスプレイパネルを提供する。【解決手段】前面基板２１の走査電極２２および維持電極２３と背面基板３１のデータ電極３２とが対向して構成される主放電セル４０と、走査電極２２のうち隣接する２本の走査電極２２を有し主放電セル４０に隣接した隙間部に構成されるプライミング放電セル４１ａとを区画する横隔壁３４ｂと、走査電極２２および維持電極２３を覆う前面板誘電体層２４とを備え、対向する補助電極２２ｂ’−補助電極２２ｂ’間を保護層２５だけで覆うか、または前面板誘電体層２４を主放電セル４０における前面板誘電体層２４よりも薄く形成することで、補助電極２２ｂ’−補助電極２２ｂ’間に放電が可能な空間を形成する。【選択図】図２
2005353515.tif 000002
【特許請求の範囲】
【請求項１】
第１の基板上に２本ずつ交互にかつ互いに平行となるように配置された複数の第１電極および複数の第２電極と、
前記第１電極および前記第２電極を覆う誘電体層と、
前記誘電体層を覆う保護層と、
前記第１の基板に放電空間を挟んで対向配置される第２の基板上に前記第１電極および前記第２電極と直交する方向に配置した第３電極と、
前記第２の基板上に前記第１電極および前記第２電極と前記第３電極とで形成される複数の主放電セルと、複数の前記第１電極のうち隣り合う２本の第１電極で形成される複数のプライミング放電セルとを区画するように形成した隔壁とを有し、
前記プライミング放電セル内において、前記隣り合う２本の第１電極に挟まれた領域を前記保護層で覆い、それを除く領域を前記誘電体層と前記保護層とで覆うことで前記プライミング放電セル内に凸状の放電空間を形成し、前記隣り合う２本の第１電極は、前記凸状の放電空間を挟んで対向することを特徴とするプラズマディスプレイパネル。
【請求項２】
前記隣り合う２本の第１電極に挟まれた領域を、前記主放電セル内における前記誘電体層よりも厚みの薄い前記誘電体層で覆うことで、前記プライミング放電セル内に前記凸状の放電空間を形成することを特徴とする請求項１記載のプラズマディスプレイパネル。
【発明の詳細な説明】
【技術分野】
【０００１】
本発明は、壁掛けテレビや大型モニターに用いられるプラズマディスプレイパネルに関する。
【背景技術】
【０００２】
ＡＣ型として代表的な交流面放電型プラズマディスプレイパネル（以下、ＰＤＰと略記する）は、面放電を行う走査電極および維持電極を互いに平行に配列して形成したガラス基板からなる前面板と、データ電極を配列して形成したガラス基板からなる背面板とにより構成されている。走査電極および維持電極とデータ電極とがマトリックスを組むように、しかも間隙に放電空間を形成するように前面板と背面板とを対向配置し、その外周部をガラスフリット等の封着材によって封着している。前面板と背面板との間には、隔壁によって区画された放電セルが設けられ、この隔壁間の放電セルに蛍光体層を形成している。このような構成のＰＤＰにおいては、ガス放電により紫外線を発生させ、この紫外線でＲ、Ｇ、Ｂの各色の蛍光体を励起して発光させることによりカラー表示を行っている。
【０００３】
ＰＤＰは、１フィールド期間を複数のサブフィールドに分割し、発光させるサブフィールドを組み合わせて駆動することで階調表示を行う。各サブフィールドは少なくとも初期化期間、書込み期間および維持期間を有し、画像データを表示するために、初期化期間、書込み期間および維持期間においてそれぞれ異なる信号波形を各電極に印加している。
【０００４】
初期化期間には、例えば、正のパルス電圧をすべての走査電極に印加し、走査電極および維持電極を覆う誘電体層上の保護膜および蛍光体層上に必要な壁電荷を蓄積する。
【０００５】
書込み期間では、すべての走査電極に順次負の走査パルスを印加することにより、走査電極を走査する。表示データがある場合、走査電極を走査している書込み期間に、データ電極に正の書込みパルスを印加すると、走査電極とデータ電極との間で放電が起こり、走査電極上の保護膜の表面に壁電荷が形成される。
【０００６】
続く維持期間では、一定の期間、走査電極と維持電極との間に放電を維持するのに十分な電圧を印加する。これにより、走査電極と維持電極との間に放電プラズマが生成され、一定の期間、蛍光体層を励起発光させる。書込み期間に書込みパルスが印加されなかった放電空間では、放電は発生せず蛍光体層の励起発光は起こらない。これにより、それぞれの放電セルを発光、非発光に制御して画像を表示する。
【０００７】
ところが、このようなＰＤＰでは、書込み期間の放電に大きな放電遅れが発生して書込み動作が不安定になったり、あるいは書込み動作を完全に行うために書込み時間を長く設定して書込み期間に費やす時間が大きくなり過ぎるといった課題があった。
【０００８】
これらの課題を解決するために、前面板に補助放電電極を設け前面板側の面内補助放電によってプライミング放電を発生させることによって放電遅れを小さくするＰＤＰとその駆動方法が提案されている（例えば、特許文献１）。
【特許文献１】特開２００２−２９７０９１号公報
【発明の開示】
【発明が解決しようとする課題】
【０００９】
しかしながら上述のＰＤＰにおいては、隣接する放電セルが相互干渉を起こしやすく、特に書込み期間において、隣接する放電セルへプライミングに必要な粒子以上のプライミング粒子が供給されてクロストークが生じ、誤書込みあるいは書込み不良等の誤放電が生じるという課題があった。
【００１０】
本発明のＰＤＰは、これらの課題に鑑みなされたものであり、プライミング放電によって書込み放電を安定して発生させることができ、さらに隣接する主放電セルへのプライミング放電のクロストークを改善して誤放電を低減することができるＰＤＰを提供することを目的とする。
【課題を解決するための手段】
【００１１】
このような目的を達成するために、本発明のＰＤＰは、第１の基板上に２本ずつ交互にかつ互いに平行となるように配置された複数の第１電極および複数の第２電極と、第１電極および第２電極を覆う誘電体層と、誘電体層を覆う保護層と、第１の基板に放電空間を挟んで対向配置される第２の基板上に第１電極および第２電極と直交する方向に配置した第３電極と、第２の基板上に第１電極および第２電極と第３電極とで形成される複数の主放電セルと複数の第１電極のうち隣り合う２本の第１電極で形成される複数のプライミング放電セルとを区画するように形成した隔壁とを有し、プライミング放電セル内において、隣り合う２本の第１電極に挟まれた領域を保護層で覆い、それを除く領域を誘電体層と保護層とで覆うことでプライミング放電セル内に凸状の放電空間を形成し、隣り合う２本の第１電極は、凸状の放電空間を挟んで対向することを特徴とする。
【００１２】
この構成により、プライミング放電によって書込み放電を安定して発生させることができ、さらに、隣接する主放電セルへのプライミング放電のクロストークを改善することができる。
【００１３】
また、隣り合う２本の第１電極に挟まれた領域を、主放電セル内における誘電体層よりも厚みの薄い誘電体層で覆うことで、プライミング放電セル内に凸状の放電空間を形成する構成としてもよい。このような構成によっても、プライミング放電によって書込み放電を安定して発生させることができ、さらに、隣接する主放電セルへのプライミング放電のクロストークを改善することができる。
【発明の効果】
【００１４】
本発明によれば、プライミング放電によって書込み放電を安定して発生させることができ、さらに隣接する主放電セルへのプライミング放電のクロストークを改善して誤放電を低減することができるＰＤＰを提供することができる。
【発明を実施するための最良の形態】
【００１５】
以下、本発明の実施の形態について、図面を参照しながら説明する。
【００１６】
（第１の実施の形態）
図１は、本発明の第１の実施の形態におけるＰＤＰの構造を示す分解斜視図であり、図２は、同ＰＤＰの断面図である。
【００１７】
図１に示すように、ＰＤＰ１０は第１の基板であるガラス製の前面基板２１等よりなる前面板５０と、第２の基板であるガラス製の背面基板３１等よりなる背面板６０とが放電空間を挟んで対向して配置され、その外周部をガラスフリット（図示せず）等の封着材によって封着している。放電空間には放電によって紫外線を放射する放電ガスとして、ネオン（Ｎｅ）およびキセノン（Ｘｅ）等の混合ガスが封入されている。
【００１８】
前面板５０の前面基板２１上には、第１電極である走査電極２２と第２電極である維持電極２３とが、維持電極２３−走査電極２２−走査電極２２−維持電極２３−・・・となるように２本ずつ交互にかつ互いに平行に対をなして複数形成されている。走査電極２２と維持電極２３とはそれぞれ透明電極２２ａ、２３ａと、透明電極２２ａ、２３ａ上に重なるように形成された金属母線２２ｂ、２３ｂとから構成されている。隣り合う走査電極２２−走査電極２２の間、および維持電極２３−維持電極２３の間には発光時のコントラストを高めるために黒色材料等からなる光吸収層２８が設けられている。
【００１９】
走査電極２２同士が隣り合う光吸収層２８上には、走査電極２２のうち一方の走査電極２２から金属母線２２ｂが延長されて補助電極２２ｂ’が形成されている。そして、これらの走査電極２２、維持電極２３および光吸収層２８を覆うように鉛−ホウ素（Ｐｂ−Ｂ）系ガラス等からなる前面板誘電体層２４が形成され、さらにその上に酸化マグネシウム（ＭｇＯ）等からなる保護層２５が設けられている。このとき、図２に示すように、プライミング放電セル４１ａにおいて、対向した補助電極２２ｂ’−補助電極２２ｂ’間を除いて前面板誘電体層２４を形成する。したがって、対向した補助電極２２ｂ’−補助電極２２ｂ’の間が前面板誘電体層２４によって埋められることはなく、そこには放電の発生が可能な空間が形成される。そして、補助電極２２ｂ’の側面同士は、その空間を挟んで、互いに対向した構成となる。
【００２０】
背面板６０の背面基板３１上には、走査電極２２および維持電極２３と交差する方向に、第３電極であるデータ電極３２が互いに平行に複数形成されている。そして、データ電極３２を覆うように背面板誘電体層３３が形成されている。
【００２１】
背面板誘電体層３３上には隔壁３４が形成され、隔壁３４は放電空間を区画して、走査電極２２および維持電極２３とデータ電極３２とを有する複数の主放電セル４０を形成している。隔壁３４は、図１に示すように、データ電極３２と平行な方向に延びる縦隔壁３４ａと、走査電極２２および維持電極２３と平行な方向に延び、主放電セル４０の間に隙間部４１を形成する横隔壁３４ｂとで構成されている。したがって、主放電セル４０は、横隔壁３４ｂと、この横隔壁３４ｂに交差するように設けられた縦隔壁３４ａとにより格子状に形成されている。
【００２２】
隙間部４１は、横隔壁３４ｂによって区画され主放電セル４０と隣接して形成される。また、前面基板２１上には走査電極２２と維持電極２３とが２本ずつ交互に対をなして形成されているので、隙間部４１として、２本の走査電極２２が隣り合う側に位置した走査電極側隙間部と、２本の維持電極２３が隣り合う側に位置した維持電極側隙間部４１ｂとが形成される。そして、それらは主放電セル４０を挟んで、交互に並んだ構成となる。さらに、維持電極側隙間部４１ｂにおいて放電の発生はないが、走査電極側隙間部においては、対向した補助電極２２ｂ’−補助電極２２ｂ’間でプライミング放電が発生する。すなわち、走査電極側隙間部はプライミング放電セル４１ａとしての働きを有する。
【００２３】
また、隔壁３４の頂部は前面基板２１に当接するように平坦に形成されている。これは、隣接する主放電セル４０とプライミング放電セル４１ａとの相互干渉を防ぐためであり、特に、書込み期間において発生するプライミング放電の影響を受けて隣接する主放電セル４０に誤書込みを生じる等の誤動作を防ぐためである。さらには、プライミング放電にともない、プライミング放電セル４１ａに隣接する主放電セル４０の壁電荷が減少し書込み不良を生じる等の誤動作を防ぐためである。
【００２４】
また、図１に示すように、主放電セル４０には蛍光体層３５がそれぞれの隔壁３４側面と背面板誘電体層３３上に形成されている。蛍光体層３５は背面板６０に設けられたそれぞれのデータ電極３２に対応しており、紫外線によって赤色、青色、緑色に発光する蛍光体層３５が交互に設けられ、同一データ電極３２上に設けられた主放電セル４０には同一色の蛍光体層３５が形成されている。なお、図１では隙間部４１側に蛍光体層３５を形成していないが、蛍光体層３５を形成する構成としてもよい。また、上述の説明ではデータ電極３２を覆うように背面板誘電体層３３が形成されているが、この背面板誘電体層３３は形成しなくてもよい。
【００２５】
図３は、本発明の第１の実施の形態におけるＰＤＰ１０の電極配列図である。列方向にｍ列のデータ電極Ｄ１〜Ｄｍ（図１のデータ電極３２）が配列され、行方向にｎ行の走査電極ＳＣ１〜ＳＣｎ（図１の走査電極２２）とｎ行の維持電極ＳＵ１〜ＳＵｎ（図１の維持電極２３）とが維持電極ＳＵ１−走査電極ＳＣ１−走査電極ＳＣ２−維持電極ＳＵ２−・・・となるように２本ずつ交互に配列されている。そして、本発明の第１の実施の形態においては隣り合う走査電極ＳＣｐ、ＳＣｐ＋１（ｐ＝奇数）の補助電極（図１の補助電極２２ｂ’）の間でプライミング放電を行う。
【００２６】
そして、一対の走査電極ＳＣｉ、維持電極ＳＵｉ（ｉ＝１〜ｎ）と１つのデータ電極Ｄｊ（ｊ＝１〜ｍ）とを含む主放電セルＣｉ、ｊ（図１の主放電セル４０）が放電空間内に形成される。このとき主放電セルＣの総数はｍ×ｎ個になる。また走査電極ＳＣｐの補助電極と走査電極ＳＣｐ＋１の補助電極とを含むプライミング放電セルＰＳｐ（図１のプライミング放電セル４１ａ）が形成される。
【００２７】
次に、ＰＤＰ１０を駆動するための駆動波形とそのタイミングについて、ＰＤＰ１０の動作とともに説明する。
【００２８】
図４は、本発明の第１の実施の形態におけるＰＤＰ１０の駆動波形図である。なお、本発明の第１の実施の形態においては、１フィールド期間を発光期間の重みを持った複数のサブフィールドに分割し、発光させるサブフィールドの組み合わせによって階調表示を行う。また、各サブフィールドは初期化期間、書込み期間、維持期間を有しており、それぞれのサブフィールドは発光期間の重みを変えるため維持期間における維持パルスの数を異ならせている以外はほぼ同様の動作を行う。そして、各サブフィールドにおける動作原理もほぼ同様であるので、ここでは１つのサブフィールドについてのみ動作を説明する。
【００２９】
まず、初期化期間前半部では、データ電極Ｄ１〜Ｄｍおよび維持電極ＳＵ１〜ＳＵｎをそれぞれ０（Ｖ）に保持し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ１回目の微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上あるいは蛍光体層上に蓄積された壁電荷により生じる電圧をあらわす。このとき、走査電極ＳＣ１〜ＳＣｎは同電位のためプライミング放電セルＰＳｐでは放電が発生しない。
【００３０】
初期化期間後半部では、維持電極ＳＵ１〜ＳＵｎを正電圧Ｖｅに保ち、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍとの間でそれぞれ２回目の微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。このときも、走査電極ＳＣ１〜ＳＣｎは同電位のためプライミング放電セルＰＳｐでは放電が発生しない。以上により初期化動作が終了する。
【００３１】
書込み期間は、奇数番目の走査電極を持つ主放電セルの書込み動作を行う奇数ライン書込み期間と、偶数番目の走査電極を持つ主放電セルの書込み動作を行う偶数ライン書込み期間とを有し、奇数番目の走査電極（以下、奇数走査電極と略記する）と偶数番目の走査電極（以下、偶数走査電極と略記する）との書込み動作を時間的に分離して行う。これは以下に詳細に説明するように、壁電荷を用いてプライミング放電を順次継続して安定して発生させるためである。
【００３２】
奇数ライン書込み期間では、奇数走査電極ＳＣｐを一旦電圧Ｖｃに保持する。そして、偶数走査電極ＳＣｐ＋１には、隣接する奇数走査電極ＳＣｐとの間でプライミング放電セルＰＳｐ内部に放電を生じさせるための電圧Ｖｑを印加する。次に、１番目の走査電極ＳＣ１に走査パルス電圧Ｖａを印加すると、プライミング放電セルＰＳ１内において２番目の走査電極ＳＣ２との間でプライミング放電が発生し、主放電セルＣ１、１〜Ｃ１、ｍ内部にプライミングが供給される。このとき、表示すべき画像信号に対応するデータ電極Ｄｋ（ｋは１〜ｍの整数）に正の書込みパルスＶｄを印加すると、データ電極Ｄｋと走査電極ＳＣ１との交差部で放電が発生し、対応する主放電セルＣ１、ｋの維持電極ＳＵ１と走査電極ＳＣ１との間の放電に進展する。そして主放電セルＣ１、ｋ内の走査電極ＳＣ１上部に正の壁電圧が蓄積され、維持電極ＳＵ１上部に負の壁電圧が蓄積され、１行目の書込み動作が終了する。なお、このとき、プライミング放電セルＰＳ１内部の走査電極ＳＣ１上部には正の壁電圧が蓄積され、走査電極ＳＣ２上部には負の壁電圧が蓄積される。
【００３３】
以下同様に奇数番目の主放電セルＣ３、ｋ、Ｃ５、ｋ、・・・について書込み動作を行う。
【００３４】
偶数ライン書込み期間では、偶数走査電極ＳＣｐ＋１を一旦電圧Ｖｃに保持する。そして、奇数走査電極ＳＣｐには、隣接する偶数番目の走査電極ＳＣｐ＋１との間でプライミング放電セルＰＳｐ内部に放電を生じさせるための電圧Ｖｑを印加する。そして、２番目の走査電極ＳＣ２に走査パルス電圧Ｖａを印加すると、プライミング放電セルＰＳ２内において１番目の走査電極ＳＣ１との間でプライミング放電が発生する。このときの放電は、プライミング放電セルＰＳ１内部の走査電極ＳＣ１上部に蓄積された正の壁電圧、走査電極ＳＣ２上部に蓄積された負の壁電圧が加算されるため放電遅れが小さく安定した放電となる。そして、主放電セルＣ２、１〜Ｃ２、ｍ内部にプライミングが供給される。このとき、表示すべき画像信号に対応するデータ電極Ｄｋに正の書込みパルスＶｄを印加すると、データ電極Ｄｋと走査電極ＳＣ２との交差部で放電が発生し、対応する主放電セルＣ２、ｋの維持電極ＳＵ２と走査電極ＳＣ２との間の放電に進展する。そして主放電セルＣ２、ｋ内の走査電極ＳＣ２上部に正の壁電圧が蓄積され、維持電極ＳＵ２上部に負の壁電圧が蓄積され、２行目の書込み動作が終了する。なお、プライミング放電セルＰＳ１内部の壁電圧は反転し、プライミング放電セルＰＳ１内部の走査電極ＳＣ１上部には負の壁電圧、走査電極ＳＣ２上部には正の壁電圧が蓄積される。
【００３５】
以下同様に偶数番目の主放電セルＣ４、ｋ、Ｃ６、ｋ、・・・について書込み動作を行い、書込み期間を終了する。
【００３６】
維持期間では、走査電極ＳＣ１〜ＳＣｎおよび維持電極ＳＵ１〜ＳＵｎを０（Ｖ）に一旦戻した後、走査電極ＳＣ１〜ＳＣｎに正の維持パルス電圧Ｖｓを印加する。このとき、書込み放電を起こした放電セルＣｉ、ｋにおける走査電極ＳＣｉ上部と維持電極ＳＵｉ上部との間の電圧は、正の維持パルス電圧Ｖｓに加えて、書込み期間において走査電極ＳＣｉ上部および維持電極ＳＵｉ上部に蓄積された壁電圧が加算されて、放電開始電圧より大きくなる。これにより、放電セルＣｉ、ｋにおいて維持放電が発生する。以降同様に、走査電極ＳＣ１〜ＳＣｎと維持電極ＳＵ１〜ＳＵｎとに維持パルスを交互に印加することにより、書込み放電を起こした放電セルＣｉ、ｋに対して維持パルスの回数だけ維持放電が継続して行われる。このとき、走査電極ＳＣ１〜ＳＣｎは同電位のためプライミング放電セルＰＳｐでは放電が発生しない。
【００３７】
続くサブフィールドの初期化期間では、維持電極ＳＵ１〜ＳＵｎを正電圧Ｖｅに保ち、走査電極ＳＣ１〜ＳＣｎには電圧Ｖｉ４に向かって緩やかに下降する傾斜波形電圧を印加する。すると、維持放電を行った主放電セルＣｉ、ｋの走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部および維持電極ＳＵ１〜ＳＵｎ上部の壁電圧が弱められ、データ電極Ｄ１〜Ｄｍ上部の正の壁電圧は書込み動作に適した値に調整される。このときも、走査電極ＳＣ１〜ＳＣｎは同電位のためプライミング放電セルＰＳｐでは放電が発生しない。
【００３８】
この後の書込み期間、維持期間、および続くサブフィールドの駆動波形およびＰＤＰの動作は上述と同様である。
【００３９】
ここで、書込み期間を奇数ライン書込み期間と偶数ライン書込み期間とに分けた理由について、プライミング放電セルの動作を追って再度説明する。なお、プライミング放電セルＰＳｐ内では、奇数走査電極ＳＣｐに印加した電圧と偶数走査電極ＳＣｐ＋１に印加した電圧とが異なる場合にのみ放電が発生するから、書込み期間だけで説明を行う。
【００４０】
まず、最初のサブフィールドの奇数ライン書込み期間では、奇数走査電極ＳＣｐに負電圧の走査電圧パルスＶａを印加し、偶数走査電極ＳＣｐ＋１に正の電圧Ｖｑを印加してプライミング放電を発生させる。そして、プライミング放電セルＰＳｐ内の奇数走査電極ＳＣｐ上に正の壁電圧、偶数走査電極ＳＣｐ＋１上に負の壁電圧が蓄積される。
【００４１】
続く偶数ライン書込み期間では、負の壁電圧が蓄積している偶数走査電極ＳＣｐ＋１にさらに負電圧の走査電圧パルスＶａを印加し、正の壁電圧が蓄積している奇数走査電極ＳＣｐにさらに正の電圧Ｖｑを印加してプライミング放電を発生させる。このように、このときのプライミング放電は電極に印加した電圧にさらに壁電圧が加算されるため、放電遅れの小さい安定した放電となる。そして、プライミング放電セルＰＳｐ内の偶数走査電極ＳＣｐ＋１上に正の壁電圧、奇数走査電極ＳＣｐ上に負の壁電圧が蓄積される。
【００４２】
次のサブフィールドの奇数ライン書込み期間では、負の壁電圧が蓄積している奇数走査電極ＳＣｐにさらに負電圧の走査電圧パルスＶａを印加し、正の壁電圧が蓄積している偶数走査電極ＳＣｐ＋１にさらに正の電圧Ｖｑを印加してプライミング放電を発生させる。したがって、このときのプライミング放電も放電遅れの小さい安定した放電となる。そして、プライミング放電セルＰＳｐ内の奇数走査電極ＳＣｐ上に正の壁電圧、偶数走査電極ＳＣｐ＋１上に負の壁電圧が蓄積される。
【００４３】
以降同様に、壁電圧が常にプライミング放電を強めるように働くので、プライミング放電は放電遅れの小さい安定した放電となる。このように、書込み期間を奇数ライン書込み期間と偶数ライン書込み期間とに分けることによりプライミング放電を放電遅れの小さい安定した放電とすることができる。
【００４４】
なお、上述の動作説明においては、最初のサブフィールドの初期化期間はすべての主放電セルで初期化放電を行う全セル初期化動作を行い、次のサブフィールド以降の初期化期間は維持放電を行った主放電セルを選択的に初期化する選択初期化動作を行うものとして説明したが、これらの初期化動作は任意に組み合わせてもよい。
【００４５】
以上説明したように本発明の第１の実施の形態においては、プライミング放電セル４１ａにおいて、対向した奇数走査電極ＳＣｐの補助電極２２ｂ’と偶数走査電極ＳＣｐ＋１の補助電極２２ｂ’との間でプライミング放電を発生させることで、プライミング放電を順次継続して安定して発生させ、書込み放電を安定して発生させることができる。
【００４６】
次に、対向した補助電極２２ｂ’−補助電極２２ｂ’間に前面板誘電体層２４を形成せず、そこに放電の発生が可能な空間を形成し、補助電極２２ｂ’の側面同士を、その空間を挟んで互いに対向した構成とした理由について説明する。
【００４７】
図５は、本発明の第１の実施の形態におけるＰＤＰ１０のプライミング放電セル４１ａの拡大断面図である。
【００４８】
本実施の形態においては、主放電セル４０において発生する維持放電や書込み放電等の放電はプライミング放電と比較して強い放電である。したがって、主放電セル４０内における前面板誘電体層２４には、それらの放電に耐えられるだけの十分に高い絶縁耐圧性能が必要である。一方、プライミング放電は主放電セル４０内における放電と比較して放電が弱く、プライミング放電セル４１ａ内における前面板誘電体層２４の絶縁耐圧性能は、主放電セル４０内における絶縁耐圧性能ほどは必要はない。このように、主放電セル４０内における前面板誘電体層２４とプライミング放電セル４１ａ内における前面板誘電体層２４とでは必要とされる絶縁耐圧性能が異なる。したがって、プライミング放電セル４１ａ内においては、前面板誘電体層２４の厚みを主放電セル４０内におけるそれよりも薄くしたり、あるいは前面板誘電体層２４は形成せずに保護層２５だけでの構成とすることが可能である。
【００４９】
そこで、本発明の第１の実施の形態では、図５に示すように、対向した補助電極２２ｂ’−補助電極２２ｂ’間を除いて、前面板誘電体層２４を形成する。したがって、対向した補助電極２２ｂ’−補助電極２２ｂ’間には前面板誘電体層２４が形成されず、そこには放電の発生が可能な空間が形成される。そして、その空間を挟んで、補助電極２２ｂ’−補助電極２２ｂ’の側面同士が互いに対向する。すなわち、本発明の第１の実施の形態においては、互いに対向した補助電極２２ｂ’−補助電極２２ｂ’の側面同士による対向放電によって、プライミング放電を発生させる構成とする。プライミング放電は書込み放電に先立って発生する放電なので、速やかに放電を発生させることが必要であるが、このような対向放電によってプライミング放電を発生させる構成とすることで、平行して並んだ電極の放電空間側の面同士による面放電と比べて、速やかに放電を発生させることが可能となり、さらに放電開始電圧の上昇を抑えることも可能となる。本発明の第１の実施の形態においては、このようにして、プライミング放電を発生しやすくしている。
【００５０】
さらに、本発明の第１の実施の形態では、前面板誘電体層２４を上述した構造とすることで、プライミング放電セル４１ａの断面形状を、図５に示したように凸状にしている。プライミング放電時、プライミング放電セル４１ａに隣接した主放電セル４０にプライミングに必要な粒子以上のプライミング粒子が供給されると、クロストークが発生して誤放電を誘発することがあるので、放電が必要以上に広がることは望ましくない。しかし、プライミング放電セル４１ａの断面形状を、図５に示したような凸状にし、この凸状の放電空間の先端部、すなわち補助電極２２ｂ’−補助電極２２ｂ’の側面同士が互いに対向した空間内でプライミング放電を発生させることで、放電の広がりを制限することができる。こうして、プライミング放電の主放電セル４０へのクロストークを改善して、主放電セル４０における誤放電を低減している。
【００５１】
本発明の第１の実施の形態では、ハイビジョン対応の４２インチＰＤＰにおいて、前面板誘電体層２４の厚みを４０μｍ、補助電極２２ｂ’−補助電極２２ｂ’間の幅Ｗ１を１００μｍとした。この構成により、補助電極２２ｂ’−補助電極２２ｂ’間の側面同士の対向放電によるプライミング放電を発生させるのに十分な空間を確保すると同時に、放電の広がりを制限することができる。
【００５２】
なお、上述のサイズはＰＤＰのデザイン等によって異なるため、機種ごとに最適化する必要がある。
【００５３】
このように、本発明の第１の実施の形態では、対向する奇数走査電極ＳＣｐの補助電極２２ｂ’と偶数走査電極ＳＣｐ＋１の補助電極２２ｂ’との間でプライミング放電を発生させることで、プライミング放電を順次継続して安定して発生させ、書込み放電を安定して発生させる。さらに、対向した補助電極２２ｂ’−補助電極２２ｂ’の間を除いて前面板誘電体層２４を形成することで、補助電極２２ｂ’−補助電極２２ｂ’の間に放電空間を形成し、互いに対向した補助電極２２ｂ’−補助電極２２ｂ’の側面間に対向放電が発生できるようにする。こうして、補助電極２２ｂ’−補助電極２２ｂ’の対向放電によってプライミング放電を発生させることで、放電開始電圧の上昇を抑え、速やかにプライミング放電を発生させることができるようにする。また、プライミング放電セル４１ａの断面形状を凸状とし、その凸状の放電空間内でプライミング放電を発生させて放電の広がりを制限し、クロストークを改善する。
【００５４】
なお、第１の実施の形態では、対向した補助電極２２ｂ’−補助電極２２ｂ’間に前面板誘電体層２４を形成しない構成を説明したが、これは一実施例を示したに過ぎず、対向した補助電極２２ｂ’−補助電極２２ｂ’の間に放電の発生が可能な空間が形成される構成であれば、同様の効果を得ることができる。図６は、本発明の第１の実施の形態におけるＰＤＰ１０のプライミング放電セル４１ａの他の例による拡大断面図である。例えば、図６に示すように、対向する補助電極２２ｂ’−補助電極２２ｂ’間の前面板誘電体層２４の厚みを主放電セル４０における前面板誘電体層２４の厚みよりも薄くして形成することで、対向する補助電極２２ｂ’−補助電極２２ｂ’の間に放電の発生が可能な空間を形成してもよい。このような構成によっても上述と同様の効果を得ることができる。あるいは、前面板誘電体層２４を２層以上の多層構造とし、対向する補助電極２２ｂ’−補助電極２２ｂ’間の領域のみ積層する誘電体層の数を減らして同様の形状となるように構成してもよい。
【００５５】
図７は前面板誘電体層２４の形状の一例を示した平面図である。例えば、図７に示すように、前面板誘電体層２４を形成しない領域の幅（図５の凸状部分の幅Ｗ２ｗ）を、補助電極２２ｂ’がある場所（Ｗ２ｗ）とそれ以外の場所（Ｗ２ｔ）で変える構成としてもよい。このような形状とすることで、プライミング放電の広がりをさらに制限することができ、クロストークをさらに改善することが可能となる。
【産業上の利用可能性】
【００５６】
本発明に係るＰＤＰは、プライミング放電によって書込み放電を安定して発生させることができ、さらに隣接する主放電セルへのプライミング放電のクロストークを改善して誤放電を低減することができるので、壁掛けテレビや大型モニター等のディスプレイ装置として有用である。
【図面の簡単な説明】
【００５７】
【図１】本発明の第１の実施の形態におけるＰＤＰの構造を示す分解斜視図
【図２】同ＰＤＰの断面図
【図３】同ＰＤＰの電極配列図
【図４】同ＰＤＰの駆動波形図
【図５】同ＰＤＰのプライミング放電セルの拡大断面図
【図６】同ＰＤＰのプライミング放電セルの他の例による拡大断面図
【図７】同ＰＤＰの前面板誘電体層の形状の一例を示した平面図
【符号の説明】
【００５８】
１０    ＰＤＰ
２１    （ガラス製の）前面基板
２２    走査電極
２２ａ，２３ａ    透明電極
２２ｂ，２３ｂ    金属母線
２２ｂ’    補助電極
２３    維持電極
２４    前面板誘電体層
２５    保護層
２８    光吸収層
３１    （ガラス製の）背面基板
３２    データ電極
３３    背面板誘電体層
３４    隔壁
３４ａ    縦隔壁
３４ｂ    横隔壁
３５    蛍光体層
４０    主放電セル
４１    隙間部
４１ａ    プライミング放電セル
４１ｂ    維持電極側隙間部
５０    前面板
６０    背面板
【図１】
2005353515.tif 000003
【図２】
2005353515.tif 000004
【図３】
2005353515.tif 000005
【図４】
2005353515.tif 000006
【図５】
2005353515.tif 000007
【図６】
2005353515.tif 000008
【図７】
2005353515.tif 000009